(57)【要約】【課題】減容容器を内容器として外容器に収納する場合に、外容器に対する内容器の位置合わせと外容器内での固定が簡単な操作で実現できる二重容器を提供する。【解決手段】本発明の二重容器１００は、内容器１１０を突部１１４によって外装容器１３０の口部端縁１３１ｅ上に保持してカバー１４０の切り欠き部１４３を内容器１１０の突部１１４に適合させたのち、カバー１４０のガイド突起１４５を外装容器１３０のガイド溝１３２に入れ込んでカバー１４０を外装容器１３０の口部１３１周りで内容器１１０と共に回転させることにより、内容器１１０を外装容器１３０に対して位置決め固定される。従って二重容器１００によれば、減容容器を内容器１１０として外装容器１３０に収納する場合に、カバー１４０に設けた切り欠き部１４３に内容器１１０に設けた突部１１４を適合させたのち、カバー１４０を内容器１１０と共に外容器１３０の口部１３１周りに回転させるという簡単な操作によって、外装容器１３０に対する内容器１１０の位置合わせと外装容器１３０内での固定を実現することができる。【選択図】　　　　図３
2004059114.tif 000002
【特許請求の範囲】
【請求項１】
ポンプを取り付け可能な口部を備え容器の少なくとも縦半分を該容器の保形性を確保する剛性の高いハードシェルとし残り半分をハードシェルに向かう変形にて減容可能なソフトシェルとする合成樹脂製の内容器と、この内容器を口部から導入して該内容器を保持する外装容器と、前記内容器の口部を露出させた状態で前記外装容器の口部に固定されるカバーからなり、
前記内容器のハードシェルに外装容器に向かって張り出して該外装容器の口部端縁にて保持される突部を設けると共に、前記カバーの内側に前記突部に適合する切り欠き部を有する内壁を設けて前記内容器を前記外装容器に対して位置決め固定してなることを特徴とする二重容器。
【請求項２】
ポンプを取り付け可能な口部を備え容器の少なくとも縦半分を該容器の保形性を確保する剛性の高いハードシェルとし残り半分をハードシェルに向かう変形にて減容可能なソフトシェルとする合成樹脂製の内容器と、この内容器を口部から導入して該内容器を保持する外装容器と、前記内容器の口部を露出させた状態で前記外装容器の口部に固定されるカバーからなり、
前記内容器のハードシェルに外装容器に向かって張り出して該外装容器の口部端縁にて保持される突部を設けると共に、前記外装容器の口部端縁に前記突部に適合する切り欠き部を設けて前記内容器を前記外装容器に対して位置決め固定してなることを特徴とする二重容器。
【請求項３】
前記突部を前記ハードシェルの肩部付近に設けた請求項１または２に記載の二重容器。
【請求項４】
前記外装容器は、前記ソフトシェルが位置する壁部を不透明としたものである請求項１乃至３のいずれか一項に記載の二重容器。
【請求項５】
前記内容器は、前記ハードシェルに加飾を施したものである請求項１乃至４のいずれか一項に記載の二重容器。
【発明の詳細な説明】
【０００１】
【発明の属する技術分野】
本発明は、ポンプを取り付け可能な口部を備え容器の少なくとも縦半分を該容器の保形性を確保する剛性の高いハードシェルとし残り半分をハードシェルに向かう変形にて減容可能なソフトシェルとする合成樹脂製の内容器と、この内容器を口部から導入して該内容器を保持する外装容器と、内容器の口部を露出させた状態で外装容器の口部に固定されるカバーからなる二重容器に関するものである。
【０００２】
【従来の技術】
二重容器は、シャンプーやリンスまたは液体石鹸などの内容物を外容器に収納した内容器に充填し、この内容器の口部に取り付けたポンプを操作することにより内容器の内容物を汲み上げる容器として用いられており、内容器として取り替えの自由なレフィル容器を用いることは既知である。
【０００３】
しかしながら、従来の二重容器にあっては、ポンプで内容器の内容物を汲み上げるに際して内容器の内部圧力が減少するため、内容器に変形を伴うが、この変形が均等に行われないと内容器の内容物が完全に排出できないという不都合があった。
【０００４】
そこで、本願出願人は、同出願人が先に出願した特開２００２−１０４３５５号公報に開示した合成樹脂製の減容容器を内容器とした二重容器として特願２００２−１５６１３２号を提案済みである。
【０００５】
上記減容容器は、運搬、保管および廃棄を考慮して、容器の肩部、胴部、ヒール部および底部を通って縦方向に周回する反転ラインによって、容器の保形性を確保する剛性の高いハードシェルおよび、このハードシェルに向かって反転可能な剛性の低いソフトシェルに区分けされるものである。このため、この減容容器を内容器として採用し、内容器の口部に取り付けたポンプによって内容物を排出すると、内容器の内部圧力が減少するため、ソフトシェルが反転ラインからハードシェルに向かって陥没して減容化を図ることができ、しかも、その内容物の排出に係わる残量の減少を図ることができる。
【０００６】
【発明が解決しようとする課題】
しかしながら、本願発明者は、こうした減容容器を内容器として実際に使用する場合、内容器が変形して減容化されるために内容器を外容器内に保持する必要があると同時に、内容器を外容器に収納する場合に、必要に応じて内容器の向きを外容器に対して位置合わせする必要があることも認識するに至った。
【０００７】
本発明の解決すべき課題は、上述した事実認識に基づいてなされたものであって、減容容器を内容器として外容器に収納する場合に、外容器に対する内容器の位置合わせと外容器内での固定が簡単な操作で実現できる二重容器を提供することにある。
【０００８】
【課題を解決するための手段】
この課題を解決するため、請求項１に係る二重容器は、ポンプを取り付け可能な口部を備え容器の少なくとも縦半分を該容器の保形性を確保する剛性の高いハードシェルとし残り半分をハードシェルに向かう変形にて減容可能なソフトシェルとする合成樹脂製の内容器と、この内容器を口部から導入して該内容器を保持する外装容器と、内容器の口部を露出させた状態で外装容器の口部に固定されるカバーからなり、内容器のハードシェルに外装容器に向かって張り出して該外装容器の口部端縁にて保持される突部を設けると共に、カバーの内側に突部に適合する切り欠き部を有する内壁を設けて内容器を外装容器に対して位置決め固定してなることを特徴とするものである。
【０００９】
また請求項２に係る二重容器は、ポンプを取り付け可能な口部を備え容器の少なくとも縦半分を該容器の保形性を確保する剛性の高いハードシェルとし残り半分をハードシェルに向かう変形にて減容可能なソフトシェルとする合成樹脂製の内容器と、この内容器を口部から導入して該内容器を保持する外装容器と、内容器の口部を露出させた状態で外装容器の口部に固定されるカバーからなり、内容器のハードシェルに外装容器に向かって張り出して該外装容器の口部端縁にて保持される突部を設けると共に、外装容器の口部端縁に突部に適合する切り欠き部を設けて内容器を外装容器に対して位置決め固定してなることを特徴とするものである。
【００１０】
なお、請求項１または２に係る二重容器において、内容器のハードシェルおよびソフトシェルは、例えば、ハードシェルおよびソフトシェルの肉厚で剛性の差を設定する。但し、ハードシェルおよびソフトシェルは、同種の硬質および軟質材料で剛性の差を設定するものであっても、異種の硬質材料および軟質材料で剛性の差を設定するものであってもよい。
【００１１】
また請求項１または２に係る二重容器において、内容器のソフトシェルは、ハードシェルに向かって反転し該ハードシェルに密着可能なものであればよく、ハードシェルに密着したソフトシェルが内容器の内部圧力を高めることによって元の形状に復元できるものであるかどうは任意である。
【００１２】
請求項３に記載の発明は、請求項１または２に係る二重容器において、突部をハードシェルの肩部付近に設けたものである。
【００１３】
請求項４に記載の発明は、請求項１乃至３のいずれか一項に係る二重容器において、外装容器は、ソフトシェルが位置する壁部を不透明としたものであるである。
【００１４】
請求項５に記載の発明は、請求項１乃至４のいずれか一項に係る二重容器において、内容器は、ハードシェルに加飾を施したものである。
【００１５】
【発明の実施の形態】
以下、本発明の実施の形態を添付図面に基づき詳細に説明する。
【００１６】
図１は、本発明の第一の実施形態であるポンプ付き二重容器１００を示す斜視図であり、図２（ａ），（ｂ）はそれぞれ、図１の要部断面図およびＡ−Ａ断面図である。また図３は、二重容器１００の分解斜視図である。
【００１７】
二重容器１００は、図２，３に示す如く、運搬、保管および廃棄を考慮してそのシェル（殻壁）の陥没および復元可能な減容容器である合成樹脂製の内容器１１０と、この内容器１１０の口部１１１に取り付けられるエアレスポンプ１２０と、このエアレスポンプ１２０を取り付けた内容器１１０が導入される外装容器１３０と、エアレスポンプ１２０を露出した状態で外装容器１３０の口部１３１に固定されるカバー１４０からなる。なお、図２（ａ）の符号１５０は、エアレスポンプ１２０に替えて内容器１１０の口部１１１に取り付けられる替えキャップである。
【００１８】
内容器１１０は、図３の二点鎖線で示す如く、肩部、胴部、ヒール部および底部を通って縦方向に周回する反転ラインＬ１によって保形性を確保する剛性の高いハードシェル１１２および、このハードシェル１１２に向かって反転可能な剛性の低いソフトシェル１１３に区分けされるものであり、ハードシェル１１２のヒール部１１２ｃおよびソフトシェル１１３のヒール部１１３ｃを座部として接地可能なスタンディングタイプのボトル型容器である。
【００１９】
また内容器１１０は、図３に示す如く、ハードシェル１１２の肩部１１２ａ付近に外装容器１３０に向かって張り出して外装容器１３０の口部端縁１３１ｅにて保持される３つの突部１１４を備える。これにより、内容器１１０は、図２（ａ）に示す如く、外装容器１３０内に落下することなく口部端縁１３１ｅ上で保持されて口部端縁１３１ｅ周りを回転する。なお、突部１１４は、３つに限らず、少なくとも１ヶ所に設けられていればよい。
【００２０】
エアレスポンプ１２０は、ポンプヘッド１２１の上下運動によってポンプ作用が惹起される定量ポンプであり、ポンプヘッド１２１を上下運動させると、内容器１１０の内容物が汲み上げられてポンプヘッド１２１に設けたノズル口１２１ａから吐出される。このとき、内容器１１０内の気密性はエアレスポンプ１２０によって確保されるため、内容器１１０のソフトシェル１１３は、図２（ａ）の二点鎖線で示す如く、エアレスポンプ１２０から内容物が吐出されることによって生じる内部圧力の減少に際し、反転ラインＬ１を起点にほぼ均等にハードシェル１１２に向かって陥没してハードシェル１１２に密着する。
【００２１】
カバー１４０は、図２（ａ）に示す如く、外装容器１３０との間に収納部Ｒを画成し、内容器１１０に取り付けたエアレスポンプ１２０が開口１４１から露出した状態に配置されている。またカバー１４０の内側には、図３に示す如く、内容器１１０に設けた突部１１４に適合する３つの切り欠き部１４３を有する内壁１４４と、外装容器１３０の口部側面１３１ｆに向かって張り出した２つのガイド突起１４５とが設けられている。なお、切り欠き部１４３やガイド突部１４５の個数は、３つや２つに限らず、少なくとも１ヶ所に設けられていればよい。
【００２２】
さらに外装容器１３０は、図３に示す如く、その口部側面１３１ｆにカバー１４０の内側に設けたガイド突起１４５に適合する２つのガイド溝１３２を有する。これらのガイド溝１３２は、外装容器１３０の口部端縁１３１ｅから延在する縦溝１３２ａおよび該溝１３２ａにつながり口部１３１方向に延在する横溝１３２ｂからなるＬ字状のもの（所謂、バイヨネット結合）である。この場合、縦溝１３２ａにガイド突起１４５を入れ込んでカバー１４０を外装容器１３０の口部１３１周りに回転させると、ガイド突起１４５は、図２（ａ）に示す如く、横溝１３２ｂに嵌合してカバー１４０を外装容器１３０に対して固定するから、横溝１３２ｂの長さを設定することによって位置合わせと固定とが簡単かつ確実に実現できる。但しガイド溝１３２は、Ｌ字状のものに限らず、外装容器１３０の口部端縁１３１ｅから螺旋状に形成してなるもの、所謂、ねじ状のものであってもよいし、カバー内側のガイド突起をねじに置き換えてもよい。更には、カバーと外装容器の前記係合をアンダーカット嵌合としたり、若しくは、容器を定置のみにて使用する形態ではすり合わせでの嵌合のみとすることも可能である。
【００２３】
つまり、二重容器１００は、内容器１１０を突部１１４によって外装容器１３０の口部端縁１３１ｅ上に保持してカバー１４０に設けた切り欠き部１４３を内容器１１０の突部１１４に適合させたのち、カバー１４０のガイド突起１４５を外装容器１３０のガイド溝１３２に入れ込んでカバー１４０を外装容器１３０の口部１３１周りで内容器１１０と共に回転させることにより、図２（ａ）に示す如く、内容器１１０を外装容器１３０に対して位置決め固定される。
【００２４】
従って二重容器１００によれば、減容容器を内容器１１０として外装容器１３０に収納する場合に、カバー１４０に設けた切り欠き部１４３に内容器１１０に設けた突部１１４を適合させたのち、カバー１４０を内容器１１０と共に外容器１３０の口部１３１周りに回転させるという簡単な操作によって、外装容器１３０に対する内容器１１０の位置合わせと外装容器１３０内での固定を実現することができる。
【００２５】
なお、突部１１４は、内容器１１０全体を外装容器１３０に対して保持するため、容器の保形性を確保する剛性の高いハードシェルに設けているが、本実施形態の如く、そのうちの肩部１１２ａに設けることが好ましい。この場合、外装容器１３０の口部１３１を内容器１１０の口部１１１付近にレイアウトできるため、外装容器１３０に対するカバー１４０の取り付けが簡単になり、詰め替え時の操作性が向上する。
【００２６】
また二重容器１００によれば、内容器１１０の向きを外装容器１３０に対して位置合わせすることができるため、外装容器１３０は、内容器１１０のハードシェル１１２を除く部分、即ち、ソフトシェル１１３が位置する壁部１３３に印刷やラベルなどの装飾層１３５を用いて加飾したり、或いは、図２（ｂ）の破線で区分けした如く少なくとも壁部１３３を不透明な材質で構成することが好ましい。この場合、ソフトシェル１１３が位置する壁部１３３を不透明がなることから、内容器１１０の変形が外装容器１３０の壁部１３３を透して見えないため、内容器の不均一な変形により見た目が損なわれることがなく、美しい外観を保つ二重容器を提供することができる。
【００２７】
さらに二重容器１００によれば、外装容器１３０全体を透明な材質で構成し、或いは、図２（ｂ）の破線で区分けした如く内容器１１０のハードシェル１１３が位置する壁部１３４のみを透明な材質に変更してもよい。この場合、内容器１１０のハードシェル１１３が位置する壁部１３４が透明となることから、外装容器１３０の壁部１３３の加飾面とハードシェル１１３の表面と組み合わせにより立体感のある外観の美しい二重容器を提供することができる。
【００２８】
また二重容器１００は、内容器１１０のハードシェル１１２に印刷やラベルなどの装飾層１１５を用いて加飾を施すことができる。この場合、ハードシェル１１２に設けた装飾層１１５が容器の減容化によって変形しないため、装飾層１１５による美しい外観が維持される二重容器を提供できる。
【００２９】
図４（ａ），（ｂ）はそれぞれ、本発明の第二の実施形態であるポンプ付き二重容器２００の要部断面図およびそのＢ−Ｂ断面図である。また図５は、二重容器２００の分解斜視図である。
【００３０】
二重容器２００も、図４，５に示す如く、第一実施形態と同様、減容容器である合成樹脂製の内容器２１０と、この内容器２１０の口部２１１に取り付けられるエアレスポンプ２２０と、このエアレスポンプ２２０を取り付けた内容器２１０が導入される外装容器２３０と、エアレスポンプ２２０を露出した状態で外装容器２３０の口部２３１に固定されるカバー２４０からなる。なお、図４（ａ）の符号２５０は、エアレスポンプ２２０に替えて内容器２１０の口部２１１に取り付けられる替えキャップである。
【００３１】
内容器２１０は、図５の二点鎖線で示す如く、肩部、胴部、ヒール部および底部を通って縦方向に周回する反転ラインＬ２によって保形性を確保する剛性の高いハードシェル２１２および、このハードシェル２１２に向かって反転可能な剛性の低いソフトシェル２１３に区分けされるものであり、ハードシェル２１２のヒール部２１２ｃおよびソフトシェル２１３のヒール部２１３ｃを座部として接地可能なスタンディングタイプのボトル型容器である。
【００３２】
また内容器２１０は、図５に示す如く、ハードシェル２１２の肩部２１２ａ付近に外装容器２３０に向かって張り出して外装容器２３０の口部端縁２３１ｅにて保持される３つの突部２１４を備える。なお突部２１４は、３つに限らず、少なくとも１ヶ所に設けられていればよい。なお、第一・第二実施形態ともに口部が偏心した位置に立設した内容器形状としているが、当該形状はこれに限るものではなく、胴部の中央から立設する内容器形状を採用することも可能である。
【００３３】
エアレスポンプ２２０は、ポンプヘッド２２１の上下運動によってポンプ作用が惹起される定量ポンプであり、ポンプヘッド２２１を上下運動させると、内容器２１０の内容物が汲み上げられてポンプヘッド２２１に設けたノズル口２２１ａから吐出される。このとき、内容器２１０内の気密性はエアレスポンプ２２０によって確保されるため、内容器２１０のソフトシェル２１３は、図４（ａ）の二点鎖線で示す如く、エアレスポンプ２２０から内容物が吐出されることによって生じる内部圧力の減少に際し、反転ラインＬ２を起点にほぼ均等にハードシェル２１２に向かって陥没してハードシェル２１２に密着する。
【００３４】
カバー２４０は、図４（ａ）に示す如く、外装容器２３０との間に収納部Ｒを画成し、内容器２１０に取り付けたエアレスポンプ２２０が開口２４１から露出した状態に配置されている。またカバー２４０の内側には、図５に示す如く、内容器２１０に向かって張り出した内壁２４３および外装容器２３０の口部側面２３１ｆに向かって張り出した２つのガイド突起２４４が設けられている。なお、ガイド突部２１４は、２つに限らず、少なくとも１ヶ所に設けられていればよい。
【００３５】
外装容器２３０は、図５に示す如く、その口部端縁２３１ｅに突部２１４に適合する３つの切り欠き部２３２を有する。これにより、内容器２１０は、図４（ａ）に示す如く、外装容器２３０内に落下することなく保持される。
【００３６】
さらに外装容器２３０は、図５に示す如く、その口部側面２３１ｆにキャップ２４０の内側に設けたガイド突起２４４に適合する２つのガイド溝２３３を有する。これらのガイド溝２３３も、外容器２３０の口部端縁２３１ｅから延在する縦溝２３３ａおよび該溝１３３ａにつながり口部２３１方向に延在する横溝２３３ｂからなるＬ字状のもの（所謂、バイヨネット結合）である。この場合も、縦溝２３３ａにガイド突起２４４を入れ込んでカバー２４０を外装容器２３０の口部２３１周りに回転させると、ガイド突起２４４は、図４（ａ）に示す如く、横溝２３３ｂに嵌合してカバー２４０を外装容器２３０に対して固定するから、横溝２３２ｂの長さを設定することによって位置合わせと固定とが簡単かつ確実に実現できる。但しガイド溝２３３も、Ｌ字状のものに限らず、外装容器２３０の口部端縁２３１ｅから螺旋状に形成してなるもの、所謂、ねじ状のものであってもよいし、第一実施形態同様、アンダーカット嵌合・すり合わせ嵌合などの嵌合状態が適宜選択可能である。
【００３７】
つまり、二重容器２００は、内容器２１０の突部２１４を外装容器２３０の切り欠き部２３２に適合させて内容器２１０を外装容器２３０の口部端縁２３１ｅにて保持したのち、キャップ２４０のガイド突起２４４を外装容器２３０のガイド溝２３３に入れ込んでキャップ２４０を外装容器２３０の口部２３１周りで回転させることにより、図４（ａ）に示す如く、内容器１１０を外装容器２３０に対して位置決め固定される。
【００３８】
従って二重容器２００も第一実施形態と同様に、減容容器を内容器２１０として外装容器２３０に収納する場合に、外装容器２３０の切り欠き部２３２に内容器２１０の突部２１４を適合させたのち、キャップ２４０を外容器２３０の口部２３１周りに回転させるという簡単な操作によって、外装容器２３０に対する内容器２１０の位置合わせと外装容器２３０内での固定を実現することができる。
【００３９】
なお、本実施形態の突部２１４も、内容器１１０全体を外装容器１３０に対して保持するため、容器の保形性を確保する剛性の高いハードシェルに設けているが、そのうちの肩部２１２ａに設けることが好ましい。この場合、外装容器２３０の口部２３１を内容器２１０の口部２１１付近にレイアウトできるため、外装容器２３０に対するカバー２４０の取り付けが簡単になり、詰め替え時の操作性が向上する。
【００４０】
また二重容器２００の場合も、内容器２１０の向きを外装容器２３０に対して位置合わせするができるため、外装容器２３０は、内容器２１０のソフトシェル２１３が位置する壁部２３４に印刷やラベルなどの装飾層２３６を用いて加飾したり、或いは、図４（ｂ）の破線で区分けした如く少なくとも壁部２３４を不透明な材質で構成としてもよい。この場合も、ソフトシェル２１３が位置する壁部２３４を不透明がなることから、内容器２１０の変形が外装容器２３０の壁部２３４を透して見えないため、美しい外観を保つ二重容器を提供することができる。
【００４１】
さらに二重容器２００の場合も、外装容器２３０は、外装容器２３０全体を透明な材質で構成し、或いは、図４（ｂ）の破線で区分けした如く内容器２１０のハードシェル２１２が位置する壁部１３５のみを透明な材質に変更してもよい。この場合、内容器２１０のハードシェル２１２が位置する壁部２３５が透明なることから、外装容器２３０の壁部２３４の加飾面とハードシェル２１２の表面と組み合わせにより立体感のある外観の美しい二重容器を提供することができる。
【００４２】
また二重容器２００も、内容器２１０のハードシェル２１２に印刷やラベルなどの装飾層２１５を用いて加飾を施すことができる。この場合も、ハードシェル２１２に設けた装飾層２１５が容器の減容化によって変形しないため、装飾層２１５による美しい外観が維持される二重容器を提供できる。
【００４３】
上述したところは、本発明の好適な実施形態を示したに過ぎず、当業者によれば、請求の範囲において、種々の変更を加えることができ、例えば、内容器１１０（２１０）が単体の状態で口部１１１（２１１）を座部として倒立状態で接地されるスタンディングタイプのボトル型容器である場合にも適用することができる。
【００４４】
また本発明に係る二重容器を構成するに際し、ハードシェル１１２（２１２）およびソフトシェル２１３（２１３）は、特開２００２−１０４３５５号公報に開示した如く、ハードシェル１１２（２１２）およびソフトシェル１１３（２１３）の肉厚で剛性の差を設定するものであるが、例えば、ハードシェル１１２（２１２）およびソフトシェル１１３（２１３）がそれぞれ高密度ＰＥ（ポリエチレン）および低密度ＰＥ等のように、同種の硬質および軟質材料で剛性の差を設定するものであっても、ハードシェル１１２（２１２）およびソフトシェル１１３（２１３）がそれぞれＰＰ（ポリプロピレン）およびＰＥ（ポリエチレン）等のように、異種の硬質材料および軟質材料で剛性の差を設定するものであってもよい。
【００４５】
さらにソフトシェル１１３（２１３）にあっては、反転ラインＬ１（Ｌ２）を起点にハードシェル１１２（２１２）に向かって反転しハードシェル１１２（２１２）に密着可能なものであればよく、特開２００２−１０４３５５号公報に開示した如く、ハードシェル１１２（２１２）に密着したソフトシェル１１３（２１３）が内容器１１０（２１０）の内部圧力を高めることによって元の形状に復元できるものであるかどうは任意である。
【００４６】
【発明の効果】
本発明に係る二重容器は、内容器を突部によって外装容器の口部端縁に保持してカバーに設けた切り欠き部を内容器の突部に適合させたのち、カバーのガイド突起を外装容器のガイド溝に入れ込んでカバーを外装容器の口部周りで内容器と共に回転させることにより、内容器を外装容器に対して位置決め固定される。
【００４７】
従って二重容器によれば、減容容器を内容器として外装容器に収納する場合に、カバーに設けた切り欠き部に内容器に設けた突部を適合させたのち、カバーを内容器と共に外容器の口部周りに回転させるという簡単な操作によって、外装容器に対する内容器の位置合わせと外装容器内での固定を実現することができる。
【００４８】
また本発明に係る二重容器は、内容器の突部を外装容器の切り欠き部に適合させて内容器を外装容器の口部端縁にて保持したのち、カバーのガイド突起を外装容器のガイド溝に入れ込んでカバーを外装容器の口部周りで回転させることにより、内容器を外装容器に対して位置決め固定してもよい。
【００４９】
この場合も、減容容器を内容器として外装容器に収納する場合に、外装容器の切り欠き部に内容器の突起を適合させたのち、カバーを外装容器の口部周りに回転させるという簡単な操作によって、外装容器に対する内容器の位置合わせと外装容器内での固定を実現することができる。
【図面の簡単な説明】
【図１】本発明の第一の実施形態であるポンプ付き二重容器を示す斜視図である。
【図２】（ａ），（ｂ）はそれぞれ、同実施形態の要部断面図およびそのＡ−Ａ断面図である。
【図３】同実施形態における二重容器の分解斜視図である。
【図４】（ａ），（ｂ）はそれぞれ、本発明の第二の実施形態であるポンプ付き二重容器の要部断面図およびそのＢ−Ｂ断面図である。
【図５】同実施形態における二重容器の分解斜視図である。
【符号の説明】
１００　二重容器
１１０　内容器
１１１　口部
１１２　ハードシェル
１１３　ソフトシェル
１１４　突部
１１５　装飾層
１２０　エアレスポンプ
１３０　外装容器
１３１　口部
１３１ｅ　口部端縁
１３１ｆ　口部側面
１３２　ガイド溝
１３２ａ　縦溝
１３２ｂ　横溝
１３３　ソフトシェル側壁部
１３４　ハードシェル側壁部
１３５　装飾層
１４０　カバー
１４１　開口
１４３　切り欠き部
１４４　内壁
１４５　ガイド突起
１５０　替えキャップ
２００　二重容器
２１０　内容器
２１１　口部
２１２　ハードシェル
２１３　ソフトシェル
２１４　突部
２１５　装飾層
２２０　エアレスポンプ
２３０　外装容器
２３１　口部
２３１ｅ　口部端縁
２３１ｆ　口部側面
２３２　切り欠き部
２３３　ガイド溝
２３３ａ　縦溝
２３３ｂ　横溝
２３４　ソフトシェル側壁部
２３５　ハードシェル側壁部
２３６　装飾層
２４０　カバー
２４１　開口
２４３　内壁
２４４　ガイド突起
２５０　替えキャップ
Ｌ１，Ｌ２　反転ライン
【図１】
2004059114.tif 000003
【図２】
2004059114.tif 000004
【図３】
2004059114.tif 000005
【図４】
2004059114.tif 000006
【図５】
2004059114.tif 000007